(57)【要約】      （修正有）【課題】体の洗浄用のブラッシングを快適にするブラッシングアクセサリーを提供する。【解決手段】ブラシ１８を含むブラッシング部材５０Ｂと、第一歯車５４Ｃを含むモーターを含む電動部材５０Ａとを備えているブラッシングアクセサリー１０であって、第一歯車５４Ｃに噛み合う第二歯車５４Ａを更に備えており、それによって第二歯車５４Ａがブラシ１８を少なくとも上下に動かす。第一歯車５４Ｃに噛み合う第三歯車５４Ｂを更に備えており、それによってブラシは上下左右に移動する。第二歯車５４Ａ及び第三歯車５４Ｂは大きさが等しい。【選択図】図２
0003235069.tif 000002
【実用新案登録請求の範囲】
【請求項１】
ブラシ（１８）を含むブラッシング部材（５０Ｂ）と、
第一歯車（５４Ｃ）を含むモーター（３２）を含む電動部材（５０Ａ）と
を備えているブラッシングアクセサリー（１０）。
【請求項２】
第一歯車（５４Ｃ）に噛み合う第二歯車（５４Ａ）を更に備えており、それによって前記第二歯車（５４Ａ）がブラシ（１８）を少なくとも前後に動かす、請求項１に記載のブラッシングアクセサリー（１０）。
【請求項３】
前記第一歯車（５４Ｃ）に噛み合う第三歯車（５４Ｂ）を更に備えており、それによって前記ブラシの前後移動は全ての方向に沿っている、請求項２に記載のブラッシングアクセサリー（１０）。
【請求項４】
前記第一歯車の中心（２０）、及び前記第二歯車と前記第三歯車の中心（２２）は、仮想線（６０）に沿って配置されている、請求項３に記載のブラッシングアクセサリー（１０）。
【請求項５】
前記第二歯車（５４Ａ）及び前記第三歯車（５４Ｂ）は大きさが等しい、請求項３に記載のブラッシングアクセサリー（１０）。
【請求項６】
前記ブラシ（１８）は、前記第二歯車（５４Ａ）の点（２４Ａ）及び前記第三歯車（５４Ｂ）の点（２４Ｂ）に接続されており、ここで、前記点（２４Ａ）（２４Ｂ）がそれぞれ前記歯車の中心（２２）から等距離（５８）で離れている、請求項３に記載のブラッシングアクセサリー（１０）。
【請求項７】
前記第二歯車（５４Ａ）及び前記第三歯車（５４Ｂ）が噛み合うことで前記点（２４Ａ）（２４Ｂ）が同じ側に配置される、請求項６に記載のブラッシングアクセサリー（１０）。
【考案の詳細な説明】
【技術分野】
【０００１】
本考案は体の洗浄及びブラッシングの分野に関する。
【背景技術】
【０００２】
多くの人は、例えば、布に付けられたスポンジのストラップや長い柄のブラシなどで背中をこする。
【０００３】
しかし、電動ブラッシングは体に快適ではない。
【０００４】
先行技術における上記の問題と他の問題に対する解決策の提供が長い間必要とされている。
【考案の概要】
【０００５】
ブラッシングアクセサリーは、ブラシと、互いに噛み合う歯車を含むモーターとを備えており、これによりブラシを前後に動かす。
【図面の簡単な説明】
【０００６】
【図１】本考案の一実施形態に係るブラッシングアクセサリーの分解斜視図である。
【図２】別の角度から見た図１の分解斜視図である。
【図３】図１の電動部材とブラッシング部材の断面図である。
【図４】図３の状態での対向する歯車の平面図である。
【図５】９０度回転したときの対向する歯車の平面図である。
【図６】図２のピンの内の一つの四つの位置、及び各配置のためのブラシ部材の配置を示す。
【図７】昇降装置を備えた、図1のブラッシングアクセサリーの側面図である。
【図８】図７のブラッシングアクセサリーの正面図である。
【考案を実施するための形態】
【０００７】
図１は、本考案の一実施形態に係るブラッシングアクセサリーの分解斜視図である。
【０００８】
洗浄などを目的とする、本考案の実施形態に係るブラッシングアクセサリー（１０）は、電動部材（５０Ａ）と、穴（２６Ａ）及び穴（２６Ｂ）を有するブラッシング部材（５０Ｂ）とを備えている。
【０００９】
図２は、別の角度から見た図１の分解斜視図である。
【００１０】
電動部材（５０Ａ）をブラッシング部材（５０Ｂ）に接続すると、電動部材（５０Ａ）のピン（２４Ａ）が穴（２６Ａ）に挿入され、ピン（２４Ｂ）がブラッシング部材（５０Ｂ）の穴（２６Ｂ）に挿入される。
【００１１】
図３は、図１の電動部材とブラッシング部材の断面図である。
【００１２】
モーター（３２）は中央歯車（５４Ｃ）を回転させる。
【００１３】
再び図２を参照すると、大きさが等しい歯車（５４Ａ）及び（５４Ｂ）は、互いに対向して中央歯車（５４Ｃ）に噛み合うことで、等しい速度で回転する。
【００１４】
歯車（５４Ａ）及び（５４Ｂ）が中央歯車（５４Ｃ）に噛み合うことで、ピン（２４Ａ）と（２４Ｂ）は同じ側に配置される。
【００１５】
図４は、図３の状態での対向する歯車の平面図である。
【００１６】
ピン（２４Ａ）及び（２４Ｂ）は、左側に配置された状態であり、（６４Ａ）が附与されている。
【００１７】
図５は、９０度回転したときの対向する歯車の平面図である。
【００１８】
歯車（５４Ａ）と（５４Ｂ）の大きさが等しく、ピン（２４Ａ）と（２４Ｂ）が等距離（５８）で離れているので、ピン（２４Ａ）が（６４Ｂ）に配置されると、同様にピン（２４Ｂ）も（６４Ｂ）に配置され、両ピンの間の仮想線（６０）はその角度を図５の状態に、この実施例では水平に維持する。
【００１９】
図６は、図２のピンの内の一つの四つの位置、及び各配置のためのブラシ部材の配置を示す。
【００２０】
ピン（２４Ａ）及び（２４Ｂ）は、それぞれ歯車（５４Ａ）及び（５４Ｂ）から延びており、中心（２０）と前記歯車の中心（２２）との間の距離は等しい（５８）。
【００２１】
ピン（２４Ａ）が位置（６４Ａ）に配置される場合、ブラシ（１８）は領域（６２Ａ）に配置される。ピン（２４Ａ）が位置（６４Ｂ）に配置される場合、ブラシ（１８）は領域（６２Ｂ）に配置される。ピン（２４Ａ）が位置（６４Ｃ）に配置される場合、ブラシ（１８）を領域（６２Ｃ）に配置される。ピン（２４Ａ）が位置（６４Ｄ）に配置される場合、ブラシ（１８）は領域（６２Ｄ）に配置される。
【００２２】
領域（６２Ａ）は領域（６２Ｃ）の左側にあり、したがって、ブラシ（１８）に左から右への前後の動作が提供される。領域（６２Ｂ）は領域（６２Ｄ）の上にあり、したがって、ブラシ（１８）に上から下への前後の動作が提供される。領域（６２Ａ）は領域（６２Ｂ）の左下側にあり、したがって、ブラシ（１８）に４５度での前後の動作が提供される。示されているこれら四つの状態の間の状態を考量すると、ブラシ（１８）は全ての方向に前後移動する。
【００２３】
このブラッシング動作は、ブラシの対称回転、または回転の中心からより離れた距離と高い速度を適用するブラシの偏心回転とは対照的に、使用者の体の全ての場所に等しい距離と速度を適用するという点で更に都合がよい。
【００２４】
図７は、昇降装置を備えた、図１のブラッシングアクセサリーの側面図である。
【００２５】
ブラッシングアクセサリー（１０）は、さまざまな高さでのブラッシングを可能とするように、昇降装置を備えてもよい。
【００２６】
図８は、図７のブラッシングアクセサリーの正面図である。
【００２７】
使用者は、図７の昇降装置に対して左右に移動してもよい。
【００２８】
参照符号のリスト
（１０）ブラッシングアクセサリー
（１２）外装
（１４）操作ボタン
（１６）ブラシヘッド
（１８）ブラシ、スポンジなど
（２０）歯車（５４Ｃ）の中心とヒンジ
（２２）歯車（５４Ａ）及び（５４Ｂ）の中心とヒンジ
（２４Ａ）（２４Ｂ）動きを伝えるための電動部材（５０Ａ）のピン又は凹部
（２６Ａ）（２６Ｂ）点（２４Ａ）と（２４Ｂ）それぞれからの動きを受け取るためのブラッシング部材（５０Ｂ）のピン又は凹部
（２８）電気ソケット
（３０）電池
（３２）モーター
（３４）外装１２に対して回転できるジョイント
（３８）（４０）歯車
（４４）昇降装置
（４６）ラック
（５０Ａ）電動部材
（５０Ｂ）ブラッシング部材
（５４Ａ）（５４Ｂ）（５４Ｃ）歯車
（５８）中心２０と歯車の中心２２との間の距離
（６０）仮想線
（６２Ａ）（６２Ｂ）（６２Ｃ）（６２Ｄ）ブラシ（１８）の仮領域
（６４Ａ）（６４Ｂ）（６４Ｃ）（６４Ｄ）ピン（２４Ａ）の仮位置
【００２９】
特許請求の範囲に記載された参照符号は、特許請求の範囲を制限するものとして解釈されるべきではない。
【図１】
0003235069.tif 000003
【図２】
0003235069.tif 000004
【図３】
0003235069.tif 000005
【図４】
0003235069.tif 000006
【図５】
0003235069.tif 000007
【図６】
0003235069.tif 000008
【図７】
0003235069.tif 000009
【図８】
0003235069.tif 000010
【手続補正書】
【提出日】令和3年2月26日(2021.2.26)
【手続補正１】
【補正対象書類名】実用新案登録請求の範囲
【補正対象項目名】全文
【補正方法】変更
【補正の内容】
【実用新案登録請求の範囲】
【請求項１】
ブラシ（１８）を含むブラッシング部材（５０Ｂ）と、
第一歯車（５４Ｃ）を含むモーター（３２）を含む電動部材（５０Ａ）と
を備えているブラッシングアクセサリー（１０）。
【請求項２】
第一歯車（５４Ｃ）に噛み合う第二歯車（５４Ａ）を更に備えており、それによって前記第二歯車（５４Ａ）がブラシ（１８）を少なくとも上下に動かす、請求項１に記載のブラッシングアクセサリー（１０）。
【請求項３】
前記第一歯車（５４Ｃ）に噛み合う第三歯車（５４Ｂ）を更に備えており、それによって前記ブラシは全方向に上下移動する、請求項２に記載のブラッシングアクセサリー（１０）。
【請求項４】
ピン(２４A) と ピン(２４B)を連結する仮想線（６０）が水平状態を維持するように前記第一歯車（５４C）の中心（２０）、前記第二歯車（５４A）の中心（２２）及び前記第三歯車（５４B）の中心（２２）が配置されている、請求項３に記載のブラッシングアクセサリー（１０）。
【請求項５】
前記第二歯車（５４Ａ）及び前記第三歯車（５４Ｂ）は大きさが等しい、請求項３に記載のブラッシングアクセサリー（１０）。
【請求項６】
前記ブラシ（１８）は、前記第二歯車（５４Ａ）の点（２４Ａ）及び前記第三歯車（５４Ｂ）の点（２４Ｂ）に接続されており、ここで、前記点（２４Ａ）（２４Ｂ）がそれぞれ前記歯車の中心（２２）から等距離（５８）で離れている、請求項３に記載のブラッシングアクセサリー（１０）。
【請求項７】
前記第二歯車（５４Ａ）及び前記第三歯車（５４Ｂ）が噛み合うことで前記点（２４Ａ）（２４Ｂ）が同じ方向に配置される、請求項６に記載のブラッシングアクセサリー（１０）。
【手続補正書】
【提出日】令和3年9月16日(2021.9.16)
【手続補正１】
【補正対象書類名】実用新案登録請求の範囲
【補正対象項目名】全文
【補正方法】変更
【補正の内容】
【実用新案登録請求の範囲】
【請求項１】
ブラシ（１８）を含むブラッシング部材（５０Ｂ）と、
第一歯車（５４Ｃ）を含むモーター（３２）を含む電動部材（５０Ａ）と
を備えているブラッシングアクセサリー（１０）。
【請求項２】
第一歯車（５４Ｃ）に噛み合う第二歯車（５４Ａ）を更に備えており、それによって前記第二歯車（５４Ａ）がブラシ（１８）を少なくとも上下に動かす、請求項１に記載のブラッシングアクセサリー（１０）。
【請求項３】
前記第一歯車（５４Ｃ）に噛み合う第三歯車（５４Ｂ）を更に備えており、それによって前記ブラシは上下左右に移動する、請求項２に記載のブラッシングアクセサリー（１０）。
【請求項４】
前記第二歯車（５４Ａ）及び前記第三歯車（５４Ｂ）は大きさが等しい、請求項３に記載のブラッシングアクセサリー（１０）。
【請求項５】
前記ブラシ（１８）は、前記第二歯車（５４Ａ）の点（２４Ａ）及び前記第三歯車（５４Ｂ）の点（２４Ｂ）に接続されており、ここで、前記点（２４Ａ）（２４Ｂ）がそれぞれ前記歯車の中心（２２）から等距離（５８）で離れている、請求項３に記載のブラッシングアクセサリー（１０）。
【請求項６】
前記第二歯車（５４Ａ）及び前記第三歯車（５４Ｂ）が噛み合うことで前記点（２４Ａ）（２４Ｂ）が各歯車（５４Ａ）（５４Ｂ）の中心（２２）に対して同じ方向に配置される、請求項５に記載のブラッシングアクセサリー（１０）。